(57)【要約】【課題】本発明は、蓋板を側溝本体の対向する内面上部に突設した蓋掛かり部に被嵌する場合に、所定位置への被嵌操作が、多くの時間および手間がかからず、迅速かつ確実に行え、また、水平度の確保が容易に行え、ガタツキ音を生ぜず、消音機能を良好に発揮できる。【解決手段】側溝本体１が、蓋掛かり部２,２の前面に前下がりに対向して設けられた第１斜面部４と、該第１斜面部の上方部に略水平に設けられた左右の平坦部５,５と、該平坦部の外側における垂直な上縁部１ａ,１ａの内側に設けられた鋭角の第２斜面部６,６と、により構成され、蓋板３が、長手方向Ｉにわたり直線状であり、且つ断面が曲面部７,７を左右両側下縁に形成されるか、または鈍角に屈曲されて第２斜面部に点接触される斜面部を左右両側下縁に形成され、平坦部の上面には長手方向に交差する凹部８,８が左右に設けられ、該凹部には前記蓋板３の左右下面の対応位置に係止突部９,９が係脱可能に設けられている。【選択図】図１
2013057211.tif 000002
【特許請求の範囲】
【請求項１】
対向する内面上部に突設した蓋掛かり部を有する側溝本体と、該側溝本体の前記蓋掛かり部に嵌脱可能に取付けられる蓋板と、を備えた消音用側溝ブロックにおいて、
前記側溝本体が、前記蓋掛かり部の前面に前下がりに対向して設けられた第１斜面部と、該第１斜面部の上方部に略水平に設けられた左右の平坦部と、該平坦部の外側における垂直な上縁部の内側に設けられた鋭角の第２斜面部と、により構成され、
前記蓋板が、長手方向にわたり直線状であり、且つ断面が曲面部を左右両側下縁に形成されるか、または鈍角に屈曲されて前記第２斜面部に点接触される斜面部を左右両側下縁に形成され、
前記平坦部の上面には長手方向に交差する凹部が左右に設けられ、
該凹部には前記蓋板の左右下面の対応位置に係止突部が係脱可能に設けられている
ことを特徴とする消音用側溝ブロック。
【請求項２】
前記凹部、および前記係止突部が、軸長方向において断面が逆台形に形成されていることを特徴とする請求項１に記載の消音用側溝ブロック。
【請求項３】
前記凹部の内側面と前記係止突部の外側面との間の間隙が、前記蓋板の左右の側面部と前記側溝本体の上縁部の内側面との間の間隙よりも僅かに幅狭に設けられていることを特徴とする請求項１または２に記載の消音用側溝ブロック。
【請求項４】
前記側溝本体が、底板を有する有底状に形成されていることを特徴とする請求項１−３の何れかに記載の消音用側溝ブロック。
【請求項５】
前記側溝本体が、底が解放された底解放型に形成されていることを特徴とする請求項１−３の何れかに記載の消音用側溝ブロック。
【請求項６】
前記側溝本体が、長手方向の中央に天板部を有する有天状に形成され、前記天板部には側溝本体内に設けられる流水溝内に連通する複数個のスリットが設けられていることを特徴とする請求項１−５の何れかに記載の消音用側溝ブロック。
【発明の詳細な説明】
【技術分野】
【０００１】
本発明は消音用側溝ブロックに関し、側溝本体の対向する内面上部に突設された蓋掛かり部に蓋板を被嵌した際に、蓋板は下面の角が蓋がかり部に点接触して接地されるようにして消音機能が発揮されるようにするものである。
【背景技術】
【０００２】
従来、消音側溝ブロックとして、蓋板の両側下辺に凸曲面ないし凸形湾曲面を設けると共に側溝本体の蓋受部に凹曲面ないし凹形湾曲面を設け、蓋板の両側下辺を側溝本体の蓋受部に密着ないし食い込むように支持させて蓋板のがたつきを防止した消音側溝ブロックにおいて、側壁の上辺から下辺に至る外表面を凹凸のない一面の垂直平面に形成し、側溝本体の各側壁の内面の対向位置に水路と平行に延びる突条を対向させて設け、この突条の上面に蓋板を支持する蓋受部を設けると共に、突条の下面を下広がりの傾斜面としたものがあった（例えば特許文献１参照）。
【先行技術文献】
【特許文献】
【０００３】
【特許文献１】特開２０００−２６５５３５号公報
【発明の概要】
【発明が解決しようとする課題】
【０００４】
しかしながら、特許文献１に記載の上記従来の消音側溝ブロックは、蓋板の両側下辺に凸曲面ないし凸形湾曲面を設けると共に側溝本体の蓋受部に凹曲面ないし凹形湾曲面を設け、蓋板の両側下辺を側溝本体の蓋受部に密着ないし食い込むように支持させる構造なので、蓋板を側溝本体の蓋受部に被嵌させる時に、蓋板と側溝本体の蓋受部との間の隙間に砂、小砂利のような異物が入り込むと、蓋板はこれらの異物と噛み合うことにより、蓋板は側溝本体の蓋受部に円滑に被嵌されず、浮き上がりを生じ、側溝本体に設ける蓋受部の所定位置に蓋受部を被嵌するための被嵌操作には、多くの時間および手間を必要としていた。
【０００５】
しかも、特許文献１に記載の上記従来の消音側溝ブロックは、蓋板の両側下辺に凸曲面ないし凸形湾曲面を設けると共に側溝本体の蓋受部に凹曲面ないし凹形湾曲面を設け、蓋板の両側下辺を側溝本体の蓋受部に密着ないし食い込むように支持させる構造なので、蓋板の水平度をはかるのには、容易かつ迅速に行えず、前後または左右に傾いた状態で蓋板は取付けられることになるため、蓋板の上に乗る等して荷重がかかると、ガタツキ音を生ずる。
【０００６】
本発明は上記従来の欠点を解決し、蓋板を側溝本体の対向する内面上部に突設した蓋掛かり部に被嵌する場合に、所定位置への被嵌操作が、多くの時間および手間がかからず、迅速かつ確実に行え、また、水平度の確保が容易に行え、しかも、ガタツキ音を生ぜず、消音機能を良好に発揮できる消音用側溝ブロックを提供することを目的とする。
【課題を解決するための手段】
【０００７】
本発明は上記課題に鑑みなされ、請求項１に記載の発明は、対向する内面上部に突設した蓋掛かり部を有する側溝本体と、該側溝本体の前記蓋掛かり部に嵌脱可能に取付けられる蓋板と、を備えた消音用側溝ブロックにおいて、
前記側溝本体が、前記蓋掛かり部の前面に前下がりに対向して設けられた第１斜面部と、該第１斜面部の上方部に略水平に設けられた左右の平坦部と、該平坦部の外側における垂直な上縁部の内側に設けられた鋭角の第２斜面部と、により構成され、
前記蓋板が、長手方向にわたり直線状であり、且つ断面が曲面部を左右両側下縁に形成されるか、または鈍角に屈曲されて前記第２斜面部に点接触される斜面部を左右両側下縁に形成され、
前記平坦部の上面には長手方向に交差する凹部が左右に設けられ、
該凹部には前記蓋板の左右下面の対応位置に係止突部が係脱可能に設けられている
ことを特徴とする。
【０００８】
本発明の請求項２に記載の発明は、請求項１において、前記凹部、および前記係止突部が、軸長方向において断面が逆台形に形成されていることを特徴とする。
【０００９】
また、本発明の請求項３に記載の発明は、請求項１または２において、前記凹部の内側面と前記係止突部の外側面との間の間隙が、前記蓋板の左右の側面部と前記側溝本体の上縁部の内側面との間の間隙よりも僅かに幅狭に設けられていることを特徴とする。
【００１０】
また、本発明の請求項４に記載の発明は、請求項１−３の何れかにおいて、前記側溝本体が、底板を有する有底状に形成されることを特徴とする。
【００１１】
また、本発明の請求項５に記載の発明は、請求項１−３の何れかにおいて、前記側溝本体が、底が解放された底解放型に形成されることを特徴とする。
【００１２】
また、本発明の請求項６に記載の発明は、請求項１−５の何れかにおいて、前記側溝本体が、長手方向の中央に天板部を有する有天状に形成され、前記天板部には側溝本体内に設けられる流水溝内に連通する複数個のスリットが設けられていることを特徴とする。
【発明の効果】
【００１３】
本発明の請求項１に記載の発明によれば、対向する内面上部に突設した蓋掛かり部を有する側溝本体と、該側溝本体の前記蓋掛かり部に嵌脱可能に取付けられる蓋板と、を備えた消音用側溝ブロックにおいて、前記側溝本体が、前記蓋掛かり部の前面に前下がりに対向して設けられた第１斜面部と、該第１斜面部の上方部に略水平に設けられた左右の平坦部と、該平坦部の外側における垂直な上縁部の内側に設けられた鋭角の第２斜面部と、により構成され、前記蓋板が、長手方向にわたり直線状であり、且つ断面が曲面部を左右両側下縁に形成されるか、または鈍角に屈曲されて前記第２斜面部に点接触される斜面部を左右両側下縁に形成され、前記平坦部の上面には長手方向に交差する凹部が左右に設けられ、該凹部には前記蓋板の左右下面の対応位置に係止突部が係脱可能に設けられているので、蓋板を側溝本体の対向する内面上部に突設した蓋掛かり部に被嵌すると、蓋板は自重により、その左右両側下縁に形成した長手方向にわたり直線状であり、且つ断面が曲面部に形成されるか、または鈍角に屈曲された斜面部の頂点が側溝本体の対向する第２斜面部に長手方向に直線状に点接触して所定位置に案内移動され、蓋板は水平度を保って安定に支持され、しかも、ガタツキ音を生ぜず、消音機能を発揮する。
【００１４】
そして、側溝本体の内面上部に対向して突設する蓋掛かり部の上面に有する略水平な平坦部の上面には長手方向に交差する凹部が左右に設けられ、該凹部には前記蓋板の左右下面の対応位置に設けられた係止突部が係脱可能になるので、蓋板が側溝本体の軸長方向および軸長方向に交差する方向に不用意に移動するのが防止される。
【００１５】
従って、蓋板を側溝本体の対向する内面上部に突設した蓋掛かり部に被嵌するのに、所定位置への被嵌操作が、多くの時間および手間がかからず、迅速かつ確実に行え、また、水平度の確保が容易に行え、しかも、ガタツキ音を生ぜず、消音機能を良好に発揮できる。
【００１６】
また、本発明の請求項２に記載の発明によれば、請求項１において、前記凹部、および前記係止突部が、軸長方向において断面が逆台形に形成されているので、蓋板を側溝本体の対向する内面上部に突設した蓋掛かり部に被嵌するのに、側溝本体の内面上部に対向して突設する蓋掛かり部の上面に有する略水平な平坦部の上面に、蓋板を長手方向へ摺動、案内するという簡単な取扱操作により、側溝本体の内面上部に対向して突設する蓋掛かり部の上面に有する略水平な平坦部の上面に設けた凹部に前記蓋板の左右下面の対応位置に設けられた係止突部を係入し、その左右両側下縁に形成した長手方向にわたり直線状であり、且つ断面が曲面部に形成されるか、または鈍角に屈曲されて鋭角の第２斜面部に直線状に点接触して所定位置に案内移動され、蓋板を側溝本体の対向する内面上部に突設した蓋掛かり部に被嵌するため、所定位置への被嵌操作が、多くの時間および手間がかからず、迅速かつ確実に行うことができる。
【００１７】
また、本発明の請求項３に記載の発明によれば、請求項１または２において、前記凹部の内側面と前記係止突部の外側面との間の間隙が、前記蓋板の左右の側面部と前記側溝本体の上縁部の内側面との間の間隙よりも僅かに幅狭に設けられているので、蓋板に不慮の外力が軸長方向に交差する方向に働いて外れようとすると、間隙が狭い凹部の内側面に係止突部の外側面が、それよりも間隙が僅かに広い蓋板の左右の側面部に側溝本体の上縁部の内側面が接触するよりも速く接触するため、蓋板の表面が蓋掛かり部の内側面に衝突することにより、欠けたり、破損するのが防止される。
【００１８】
また、本発明の請求項４に記載の発明によれば、請求項１−３の何れかにおいて、前記側溝本体が、底板を有する有底状に形成されるので、側溝本体内の流水溝内に流れ落ちた雨水は流水溝内を流れる。
【００１９】
また、本発明の請求項５に記載の発明によれば、請求項１−３の何れかにおいて、前記側溝本体が、底が解放された底解放型に形成されるので、側溝本体内の流水溝内に流れ落ちた雨水は解放された底を通じて地下に浸透される。
【００２０】
また、本発明の請求項６に記載の発明は、請求項１−５の何れかにおいて、前記側溝本体が、長手方向の中央に天板部を有する有天状に形成され、前記天板部には側溝本体内に設けられる流水溝内に連通する複数個のスリットが設けられているので、雨が降ると、雨水は、側溝本体の、長手方向の中央に形成された有天状の天板部に設けた複数個のスリットを通って側溝本体内に設けられた流水溝内に流れ落ち、流れ下る。
【図面の簡単な説明】
【００２１】
【図１】図１は本発明の消音用側溝ブロックの実施形態１を示し、蓋板を開いた状態の分解斜視図である。
【図２】図２は同じく蓋板を閉じた状態の斜視図である。
【図３】図３は同じく蓋板を閉じた状態の断面図である。
【図４】図４は同じく蓋板が幅方向に外力を受けて移動した場合の断面図である。
【図５】図５は同じく蓋板を側溝本体に設けた蓋掛かりに被嵌した状態の長手方向の断面図である。
【図６】図６は同じく本実施形態の側溝本体を示す正面図である。
【図７】図７は同じく側溝本体の平面図である。
【図８】図８は同じく側面図である。
【図９】図９は同じく図７のＡ−Ａ断面図である。
【図１０】図１０は本実施形態１の蓋板を示す平面図である。
【図１１】図１１は同じく側面図である。
【図１２】図１２は同じく底面図である。
【図１３】図１３は同じく正面図である。
【図１４】図１４は同じく蓋板の他の変形例を示す断面図である。
【図１５】図１５は同じく側溝本体相互を屈折状態に接続する場合の一例を示す平面図である。
【図１６】図１６は同じく接続を行う側溝本体の端部を切断した状態を示す斜視図である。
【図１７】図１７は同じく側溝本体相互を曲線状に接続する場合の他例を示す平面図である。
【発明を実施するための形態】
【００２２】
以下、図面に従って本発明の実施の最良の形態により、本発明の詳細を説明する。
【００２３】
＜本実施形態１＞
図１乃至図１７において、本実施形態１は、前方および後方の対向する内面上部に突設した蓋掛かり部２,２を有する側溝本体１と、該側溝本体1の前記蓋掛かり部２,２に嵌脱可能に取付けられる蓋板３と、を備えた消音用側溝ブロックにおける点は特許文献１に記載の上記従来の消音側溝ブロックと同様の構成である。
【００２４】
しかしながら、本実施形態１の消音側溝ブロックでは、前記側溝本体１が、前記蓋掛かり部２,２の前面に傾斜角度θ１をもって前下がりに対向して設けられた第１斜面部４と、該第１斜面部４の上方部に略水平に設けられた左右の平坦部５,５と、該平坦部５,５の外側における垂直な上縁部１ａ,１ａの内側に設けられた鋭角の第２斜面部６,６と、により構成され、前記蓋板３が、長手方向Ｉにわたり直線状であり、且つ図１乃至図４に示すように、断面が曲面部７,７を左右両側下縁に形成されるか、または図１４に示す変形例のように、鈍角θ３に屈曲されて前記第２斜面部６,６に点接触される斜面部７′,７′が左右両側下縁に形成され、前記平坦部５,５の上面には長手方向Ｉに交差する凹部８,８が左右に設けられ、該凹部８,８には前記蓋板３の左右下面の対応位置に係止突部９,９が係脱可能に設けられている。なお、図示では、前記凹部８,８が、前記平坦部５,５の長手方向Ｉの中央に対向して設けられ、係止突部９,９が、蓋板３の対応位置に設けられているが、前記凹部８,８、および前記係止突部９,９の設置位置、および設置個数の変更は、図示するものに限らず自由に行える。
【００２５】
前記側溝本体１が、図示する本実施形態１では、コンクリートを用いてプレキャスト法により成形され、底板１ｂを有する有底状に形成される。また、前記側溝本体１が、長手方向Ｉの中央に天板部１ｃを有する有天状に形成され、前記天板部１ｃには側溝本体１内に設けられる流水溝１ｄ内に連通する複数個のスリット１ｅが設けられている。このスリット１ｅの設置個数、幅、長さの増減変更は図に示すものに限らず、自由である。
【００２６】
前記凹部８および前記係止突部９が、図５に示すように側溝本体１の軸長方向Ｉにおいて断面が逆台形に形成されている。
【００２７】
そして、図３に示すように前記凹部８,８の内側面８ａ,８ａと前記係止突部９,９の外側面９ａ,９ａとの間の間隙ｔ１が、前記蓋板３の左右の側面部３ａ,３ａと前記側溝本体１の上縁部１ａ,１ａの内側面との間の間隙ｔ２よりも僅かに幅狭に設けられている。このように、凹部８,８の内側面８ａ,８ａと前記係止突部９,９の外側面９ａ,９ａとの間の間隙ｔ１が、前記蓋板３の左右の側面部３ａ,３ａと前記側溝本体１の上縁部１ａ,１ａの内側面との間の間隙ｔ２よりも僅かに幅狭に設けられたのは、蓋板３に軸長方向Ｉに交差する方向に不慮の外力が働いて外れようとすると、凹部８,８の内側面８ａ,８ａに係止突部９,９の外側面９ａ,９ａとの間の間隙ｔ１が、それより僅かに広い蓋板３の左右の側面部３ａ,３ａと側溝本体１の上縁部１ａ,１ａの内側面との間の間隙ｔ２において、蓋板３の左右の側面部３ａ,３ａが側溝本体１の上縁部１ａ,１ａの内側面に接触するよりも速く接触するため、蓋板３の表面が蓋掛かり部２,２の内側面に衝突する時の衝撃により、欠けたり、破損するのが防止される。
【００２８】
１０は側溝本体１の側面に流水溝１ｄに向かって斜めに設けられた所望数個の開口穴であり、この開口穴１０は例えば側溝本体１が透水路面に敷設された場合に、透水道路の透水舗装材に浸透される雨水を側溝本体１内の流水溝１ｄ内に流入させるためのものである。
【００２９】
本発明の消音用側溝ブロックの実施形態１は以上の構成からなり、側溝本体１が、前記蓋掛かり部２,２の前面に傾斜角度θ１をもって前下がりに対向して設けられた第１斜面部４と、該第１斜面部４の上方部に略水平に設けられた左右の平坦部５,５と、該平坦部５,５の外側における垂直な上縁部１ａ,１ａの内側に設けられた鋭角θ２の第２斜面部６,６と、により構成され、前記蓋板３が、長手方向Ｉにわたり直線状であり、且つ図１乃至図４に示すように、断面が曲面部７,７を左右両側下縁に形成されるか、または図１４に示すように、鈍角θ３に屈曲されて頂点が前記第２斜面部６,６に点接触される斜面部７′,７′を左右両側下縁に形成され、前記平坦部５,５の上面には長手方向Ｉに交差する凹部８,８が左右に設けられ、該凹部８,８には前記蓋板１の左右下面の対応位置に係止突部９,９が係脱可能に設けられているので、蓋板３を側溝本体１の対向する内面上部に突設した蓋掛かり部２,２に被嵌すると、蓋板３は自重により、その左右両側下縁に形成した長手方向Ｉにわたり直線状であり、且つ図１乃至図４に示されるように断面が曲面部７,７に形成されるか、または図１４に示すように、鈍角θ３に屈曲された斜面部７′,７′の頂点が、側溝本体１の左右対向する第２斜面部６,６に直線状に点接触して所定位置に案内移動され、蓋板３は水平度を保って安定に支持されるから、ガタツキ音を生ぜず、消音機能を発揮する。
【００３０】
この時、前記凹部８、および前記係止突部９が、図５に示すように軸長方向Ｉにおいて断面が逆台形に形成されているので、蓋板３を側溝本体１内に対向して内面上部に突設した蓋掛かり部２,２に被嵌したり、蓋板３を取り外すのに、蓋掛かり部２,２に設けられた略水平な平坦部５,５の上面に、蓋板３を長手方向Ｉへ摺動、案内するという簡単な取扱操作により、略水平な平坦部５,５の上面に設けた凹部８内に前記蓋板３の左右下面の対応位置に設けられた係止突部９,９を係入したり、脱係することにより、蓋板３を蓋掛かり部２,２に取付けたり、取外すことができる。
【００３１】
そして、平坦部５,５の上面に設けた凹部８内に蓋板３の左右下面の対応位置に設けられた係止突部９,９を係入すると、蓋板３は自然に位置決めが行われ、その左右両側下縁に形成した長手方向Ｉにわたり直線状であり、且つ図１乃至図４に示されるように断面が曲面部７,７に形成されるか、または図１４に示すように、鈍角θ３に屈曲された斜面部７′,７′の頂点が、側溝本体１の左右対向する第２斜面部６,６に直線状に点接触して所定位置に案内移動され、蓋板３は水平度を保って安定に支持される。
【００３２】
こうして、略水平な平坦部５,５の上面に設けた凹部８内に蓋板３の左右下面の対応位置に設けられた係止突部９,９を係入させて蓋板３を蓋掛かり部２,２に嵌合した後は、蓋板３に不慮の外力が働いても、蓋板３は側溝本体１に設けられた蓋掛かり部２,２に対して水平度を保って安定に支持されるとともに軸長方向Ｉまたは軸長方向Ｉに交差する方向へのズレ動きが防止される。
【００３３】
この際、前記凹部８,８の内側面８ａ,８ａと前記係止突部９,９の外側面９ａ,９ａとの間の間隙ｔ１が、前記蓋板３の左右の側面部３ａ,３ａと前記側溝本体１の上縁部１ａ,１ａの内側面との間の間隙ｔ２よりも僅かに幅狭に設けられているので、蓋板３に軸長方向Ｉに交差する方向に不慮の外力が働いて蓋掛かり部２,２から外れようとすると、凹部８,８の内側面８ａ,８ａと、係止突部９,９の外側面９ａ,９ａとの間の間隙ｔ１より僅かに広い蓋板３の左右の側面部３ａ,３ａと側溝本体１の上縁部１ａ,１ａの内側面との間の間隙ｔ２において、蓋板３の左右の側面部３ａ,３ａが側溝本体１の上縁部１ａ,１ａの内側面に接触するよりも速く、凹部８,８の内側面８ａ,８ａに、係止突部９,９の外側面９ａ,９ａが接触するため、蓋板３の表面が蓋掛かり部２,２の内側面に衝突する時の衝撃により、欠けたり、破損するのが防止され、蓋板３の表面を運搬中はもとより、敷設時、および使用時においても綺麗に維持できる。
【００３４】
そして、蓋板３はその左右両側下縁に形成した長手方向Ｉにわたり直線状であり、且つ断面が図１乃至図４に示されるように曲面部７,７に形成されるか、または図１４に示されるように鈍角θ３に屈曲されて鋭角θ２の第２斜面部６,６に、頂点が直線状に点接触して所定位置に案内移動され、側溝本体１の対向する内面上部に突設された蓋掛かり部２,２に被嵌し、支持されるので、所定位置への被嵌操作が、多くの時間および手間がかからず、迅速かつ確実に行える。
【００３５】
また、側溝本体１の、前記蓋掛かり部２,２に、蓋板３を側溝本体１に敷設する代わりに、図には示さないグレーチングを敷設する場合に、そのグレーチング枠を蓋掛かり部２,２に載置したり、また、図には示さないが埋設型枠の設置に便利である。
【００３６】
そして、側溝本体１が、長手方向Ｉの中央に天板部１ｃを有する有天状に形成され、前記天板部１ｃには側溝本体１内に設けられる流水溝１ｄ内に連通する複数個のスリット１ｅが設けられているので、雨が降ると、雨水は、側溝本体１の、長手方向Ｉの中央に形成された有天状の天板部１ｃに設けられた複数個のスリット１ｅを通って側溝本体１内に設けられた流水溝１ｄ内に流れ落ち、流れ下る。
【００３７】
また、例えば側溝本体１が透水路面に敷設された場合に、側溝本体１の側面に流水溝１ｄに向かって斜めに設けられた所望数個の開口穴１０を通じて透水道路の透水舗装材に浸透される雨水は側溝本体１内の流水溝１ｄ内に流入されるが、この開口穴１０は必ずしも、側溝本体１の側面に設けられるという訳ではない。
【００３８】
それから、前記側溝本体１が、底板１ｂを有する有底状に形成されるので、側溝本体１内の流水溝１ｄ内に流れ落ちた雨水は流水溝１ｄ内を流れる。
【００３９】
また、前記側溝本体１が、底が解放された底解放型に形成されるので、側溝本体１内の流水溝１ｄ内に流れ落ちた雨水は解放された底を通じて地下に浸透される。
【００４０】
図１５および図１６は、本実施形態１の消音用側溝ブロックを直線状に接続するのではなく、コーナー部において側溝本体１,１相互を屈折状態に接続する場合の一例であり、接続すべき側溝本体１,１相互の衝合端の蓋掛かり部２,２、左右の両側壁部、底板１ｂを平面Ｖ字状に切断することにより接続したものを示している。この場合、切断には回転カッタを用いて切断するが、また、接合端相互を接続するのには、セメントモルタル、アスファルト、合成樹脂よりなる接合材を用いて接合する。
【００４１】
また、図１７は、本実施形態１の消音用側溝ブロックを曲線状に接続する場合に好適であり、接続すべき側溝本体１,１相互の衝合端を切断することなく、型枠Ｋ、Ｋ、Ｋ・・・を接合端に組付けることにより施工現場においてコンクリートを型枠Ｋ、Ｋの内域に打設し、養生、固化することにより、側溝本体１,１相互を接続するものである。
【００４２】
なお上記説明では、側溝本体１が、底板１ｂを有する有底状に形成されたものにつき説明しているが、側溝本体１は上記説明に限ることなく、例えば側溝本体１が、底が解放された底解放型に形成されたものを使用すれば、側溝本体１内の流水溝内に流れ落ちた雨水は解放された底を通じて地下に浸透させることもできる場合も本発明の適用範囲である。
【産業上の利用可能性】
【００４３】
本発明は、蓋板を側溝本体の対向する内面上部に突設した蓋掛かり部に被嵌する場合に、所定位置への被嵌操作が、多くの時間および手間がかからず、迅速かつ確実に行え、また、水平度の確保が容易に行え、しかも、ガタツキ音を生ぜず、消音機能を良好に発揮できるという用途・機能に適する。
【符号の説明】
【００４４】
１      側溝本体
１ａ    上縁部
１ｂ    底板
１ｃ    天板部
１ｄ    流水溝
１ｅ    スリット
２      蓋掛かり部
３      蓋板
４      第１斜面部
５      平坦部
６      第２斜面部
７      曲面部
７′    斜面部
８      凹部
９      係止突部
ｔ１    間隙
ｔ２    間隙
θ１    傾斜角度
θ２    鋭角
θ３    鈍角
【図１】
2013057211.tif 000003
【図２】
2013057211.tif 000004
【図３】
2013057211.tif 000005
【図４】
2013057211.tif 000006
【図５】
2013057211.tif 000007
【図６】
2013057211.tif 000008
【図７】
2013057211.tif 000009
【図８】
2013057211.tif 000010
【図９】
2013057211.tif 000011
【図１０】
2013057211.tif 000012
【図１１】
2013057211.tif 000013
【図１２】
2013057211.tif 000014
【図１３】
2013057211.tif 000015
【図１４】
2013057211.tif 000016
【図１５】
2013057211.tif 000017
【図１６】
2013057211.tif 000018
【図１７】
2013057211.tif 000019